(57)【要約】【課題】展示部に照明灯が設けられ、商品サンプルを展示するようにした既設の各種の自動販売機に対して、この自動販売機自体を改造することなく、容易に敷設できるところの可動表示手段を備えた自動販売機を提供すること。【解決手段】展示部に照明灯が設けられている自動販売機において、ソーラーバッテリーを用いて電磁力を利用して可動表示体を可動させる表示手段を前記展示部において着脱自在に設けてある。【選択図】      図１
2006189987.tif 000002
【特許請求の範囲】
【請求項１】
内部収納した商品サンプルＡ、Ｂを、透明なパネル１で区画され、外部から見えるように展示する展示部２を備え、該展示部２に照明灯３が設けられている自動販売機において、
ソーラーバッテリー５を電源として電磁力を発生させて少なくとも一つの可動表示体４を可動させるように表示手段６を構成し、
前記表示手段６を前記展示部２において着脱自在に固定するための固定手段７を本体ケース８に設け、
前記表示手段６により、前記展示部２に展示された特定商品Ａ又は商品グループＢに対して前記可動表示体４が指示表示を行うように構成してある、
可動表示手段を備えた自動販売機。
【請求項２】
前記表示手段６が、水平方向に配置された一つの磁気発生コイル６Ａと、該磁気発生コイル６Ａによる磁気発生と同極を発生するように配置された永久磁石６ａ，６ｂと、斥力により移動する該永久磁石６ａ，６ｂを原位置に復帰させるバネ６ｃ，６ｄと、前記永久磁石６ａ，６ｂの移動により可動表示体４ａ，４ｂを揺動運動させるリンク機構６ｅ、６ｆから構成されていることを特徴とする請求項１の可動表示手段を備えた自動販売機。
【請求項３】
前記表示手段６が、所定の間隔を隔て水平方向に対向配置された二つの磁気発生コイル６Ａ、６Ｂと、該磁気発生コイル６Ａ、６Ｂの対向間に配置され、該磁気発生コイル６Ａ、６Ｂによる磁気発生と同極（又は異極）を発生するように配置された一対の永久磁石６ａ，６ｂを備えた可動体６ｇから構成され、該可動体６ｇによって前記可動表示体４ａを可動させるように構成してあることを特徴とする請求項１の可動表示手段を備えた自動販売機。
【請求項４】
前記表示手段６が、垂直方向に配置された一つの磁気発生コイル６Ａと、該磁気発生コイル６Ａに対向配置され、該磁気発生コイル６Ａによる磁気発生と同極を発生するように配置された永久磁石６ａを備えた可動体６ｈから構成され、該可動体６ｇによって前記可動表示体４ａを可動させるように構成してあることを特徴とする請求項１の可動表示手段を備えた自動販売機。
【請求項５】
前記表示手段６が、水平方向に配置された一つの磁気発生コイル６Ａと、該磁気発生コイル６Ａに対向配置され、該磁気発生コイル６Ａによる磁気発生と同極を発生するように配置された永久磁石６ａを備えた可動体６ｇと，該可動体６ｇの直線移動に回転運動を付与するカム機構６ｈとから構成され、該可動体６ｇによって前記可動表示体４ａを回転させながら直線移動させるように構成してあることを特徴とする請求項１の可動表示手段を備えた自動販売機。
【請求項６】
前記表示手段６の可動表示体４ａに、ＬＥＤ表示手段９と、該ＬＥＤ表示手段９を点灯させるソーラーバッテリー５′を設けてある請求項１乃至請求項５に記載の何れか１項の可動表示手段を備えた自動販売機。
【発明の詳細な説明】
【技術分野】
【０００１】  本発明は、缶、ペットボトル等の清涼飲料品、酒類、或いはタバコ等の販売に用いる自動販売機に関するものである。
【技術背景】
【０００２】  近時、人件費のコスト高に鑑み、初期投資が嵩むものの自動販売機に対する評価は高く、また、その機能改良も日進月歩で著しいものがある。
特に、缶、ペットボトル等の清涼飲料品、酒類、或いはタバコ等の販売には多用されており、屋外、屋内設置を合わせると数千万台が設置されるに至っている。
【０００３】  こうした自動販売機の売上は、販売する商品価値そのものは勿論のこと、設置場所（立地条件）等の複雑なファクターが絡み、種々の条件の影響を受けるものであるが、これまで、前述の商品価値そのものといった固有の条件以外に、如何にして集客力を高め得るかという問題が提起されてきた。
【０００４】  一方、一般の商品販売における商品の注目度を高め、或いは、注意を引き付けることによって集客力を高める為に、単なる看板、パネルディスプレイだけでなく、こうした手段に動きを採り入れる方法が比較的古くから提案されて来ている。
このような手段、次ぎに挙げられる。
【特許文献１】実用新案登録第３０１８５１０号。この考案は、ソーラーバッテリーを用いて磁気を発生させ、フレミングの法則を用いて揺動意匠体を可動させる。
【特許文献２】特開平７−９２９２４。この発明は、間欠通電される電磁力とバネとの向き合わせによって意匠体の首振り動作を与える。
【発明の開示】
【発明が解決しようとする課題】
【０００５】  上述したように、一般の自動販売機にあっては、その取り扱い商品を一覧展示する展示部が自動販売機の正面に設けられ、照明効果を付与された透明なパネルを通して商品を認知できるので、所望の商品を選択して購入するという目的は達成できるものであったが、新規商品、期間限定商品等、特別に販売に力を注ごうとしている商品に対するアピールを与える工夫が行われておらず、販売促進の改善策が待たれていた。【０００６】  そこで、こうした要望に応えるために、特定商品に対して格別の注意を引くための手段、特に、固定したパネルディスプレイの意匠ではなく、上述した如き可動する意匠の導入を図る手段で、自動販売機自体を一部改良するなどのコストのかかる方策、或いは、大掛かりな装置を敷設するような方策ではなくて、既設の自動販売機に対して容易に敷設可能でありながら、販促手段として適切な低コストで製造可能な手段について研究を重ねた。【０００７】  本発明は、内部収納した商品サンプルを、透明なパネルで区画され、外部から見えるように展示する展示部を備え、該展示部に照明灯が設けられている既設の各種の自動販売機に対して、この自動販売機自体を改造することなく、容易に敷設できるところの可動表示手段を備えた自動販売機を提供することを目的とする。
【課題を解決するための手段】
【０００８】  本発明にかかる可動表示手段を備えた自動販売機は、かかる課題を解決するために、内部収納した商品サンプルＡ、Ｂを、透明なパネル１で区画され、外部から見えるように展示する展示部２を備え、該展示部２に照明灯３が設けられている自動販売機において、ソーラーバッテリー５を電源として電磁力を発生させて少なくとも一つの可動表示体４を可動させるように表示手段６を構成し、前記表示手段６を前記展示部２において着脱自在に固定するための固定手段７を本体ケース８に設け、前記表示手段６により、前記展示部２に展示された特定商品Ａ又は商品グループＢに対して前記可動表示体４が指示表示を行うように構成してある、という手段を講じたものである。
【発明の効果】
【０００９】  本発明の効果としては、缶、ボトル等の清涼飲料水や酒類、或いはタバコ等の既設の自動販売機の展示部に、特定商品、或いは特定商品グループを指示できるように着脱自在の固定手段によって表示手段を容易に敷設することが出来て、その展示部の本来の光源を利用してソーラーバッテリーにより電磁力を発生させ、そのエネルギーによって少なくとも一つの可動表示体を可動させて、特定商品に注目を集めて集客力を向上させることができるという顕著な効果を奏する。【００１０】  また、動力源がソーラーバッテリーを用い、磁力利用（同極の斥力或いは異極引力）よるものであるので、可動メカニズムも極めて簡単で済み、低コストで製作できる利点がある。
尚、上記固定手段７としては、自動販売機の展示部の内部後面壁が磁性体（鋼板等）で構成されている場合に、永久磁石を用いるのが好適であるが、その他に、両面粘着テープ等の着脱が簡便な適宜の公知の手段を採用してよいことは勿論である。【００１１】  尚、本発明（請求項１）では、表示手段における可動表示体の作動について、格別の動作を特定していないが、可動表示体を直線運動、揺動運動、回動運動等適宜の運動形態を採って良く、また、簡単な制御基盤のプログラムを用いて、特定のパターンで可動させるようにすることは適宜行ってよい。
【発明を実施するための最良の形態】
【００１２】  本発明において、前記表示手段６が、水平方向に配置された一つの磁気発生コイル６Ａと、該磁気発生コイル６Ａによる磁気発生と同極を発生するように配置された永久磁石６ａ，６ｂと、斥力により移動する該永久磁石６ａ，６ｂを原位置に復帰させるバネ６ｃ，６ｄと、前記永久磁石６ａ，６ｂの移動により可動表示体４ａ，４ｂを揺動運動させるリンク機構６ｅ、６ｆから構成されていることが好ましい（請求項２）。【００１３】  これによって、一つの磁気発生コイルと、二つの永久磁石とバネによる簡単な構造を採用して、その斥力を利用して二つの可動表示体を揺動駆動させて、特定商品に対する注意を喚起することが出来る。【００１４】  また、前記表示手段６が、所定の間隔を隔て水平方向に対向配置された二つの磁気発生コイル６Ａ、６Ｂと、該磁気発生コイル６Ａ、６Ｂの対向間に配置され、該磁気発生コイル６Ａ、６Ｂによる磁気発生と同極（又は異極）を発生するように配置された一対の永久磁石６ａ，６ｂを備えた可動体６ｇから構成され、該可動体６ｇによって前記可動表示体４ａを可動させるように構成してあることが好ましい（請求項３）。【００１５】  これによって、二つの磁気発生コイル６Ａ、６Ｂによる大きな斥力を発現し、可動表示体が比較的大型乃至重量物（例えば、これにＬＥＤ表示手段を搭載）であっても充分に可動させることが出来て、効果的な可動状態を得て、表示効果を高めることが出来る。【００１６】  更に、前記表示手段６が、垂直方向に配置された一つの磁気発生コイル６Ａと、該磁気発生コイル６Ａに対向配置され、該磁気発生コイル６Ａによる磁気発生と同極を発生するように配置された永久磁石６ａを備えた可動体６ｈから構成され、該可動体６ｇによって前記可動表示体４ａを可動させるように構成しても良い（請求項４）。【００１７】  これによって、例えば、可動表示体４ａ（手の形等の意匠）を直接に可動体６ｈに設けるという簡便な構造を採用し、可動表示体４ａを直線運動させて、此れに対応させた特定商品を、指差しの如き動作で指示することが出来る。【００１８】  また、前記表示手段６が、水平方向に配置された一つの磁気発生コイル６Ａと、該磁気発生コイル６Ａに対向配置され、該磁気発生コイル６Ａによる磁気発生と同極を発生するように配置された永久磁石６ａを備えた可動体６ｇと，該可動体６ｇの直線移動に回転運動を付与するカム機構６ｈとから構成され、該可動体６ｇによって前記可動表示体４ａを回転させながら直線移動させるように構成してもよい（請求項５）。【００１９】  これによって、上記と同様の磁力発生利用の簡単な構造でありながら、カム機構６ｈによって可動表示体４ａを直線運動と回動運動（所定の角角度の回転）させ、以って、特定商品に対しての表示効果を出すことが出来る。【００２０】  更に、前記表示手段６の可動表示体４ａに、ＬＥＤ表示手段９と、該ＬＥＤ表示手段９を点灯させるソーラーバッテリー５′を設けてあるのが好ましい。
これによって、可動表示体４ａによる運動と、ＬＥＤ表示手段９の点灯による光学的指示効果が併用して得られ、特定商品（或いはグループ）に対するアピール度を更に向上させることが出来る。
【実施例１】
【００２１】  図１乃至図４に示すように、本発明の可動表示手段を備えた自動販売機について詳述する。
図１は、缶、ペットボトル等を販売する自動販売機の正面図であり、これは、内部収納した多数の商品サンプルＡ、Ｂを、透明なパネル１で区画され、外部から見えるように展示する展示部２を備え、該展示部２の天井部に照明灯３（図２参照）が設けられている。【００２２】  図中、６で示すのは、前記展示部２の内部に敷設される表示手段であり、ソーラーバッテリー５を電源として電磁力を発生させて、ここでは二つの可動表示体４ａ、４ｂを可動させるように構成されているが、その具体的には、水平方向に配置された一つの磁気発生コイル６Ａ（強磁性体コア：フェライト等を含む）と、該磁気発生コイル６Ａによる磁気発生と同極を発生するように配置された永久磁石６ａ，６ｂと、斥力により移動する該永久磁石６ａ，６ｂを原位置に復帰させるバネ６ｃ，６ｄと、前記永久磁石６ａ，６ｂの移動により可動表示体４ａ，４ｂを揺動運動させるリンク機構６ｅ、６ｆから構成されている。【００２３】  上記可動表示体４ａ，４ｂについては、この実施例では、星型の意匠のパネルで構成されている。このパネルの素材については、紙製であるが、プラスチック製でも金属製でも適宜用いてよい。また、ソーラーバッテリー５は、既存の小型のものが適当であり、上述した斥力による作動を起すに所要の電力が得られるものであれば良い。【００２４】  図３において、１０は、制御基盤であり、既知のプログラムを備えて、上記ソーラーバッテリー５からの電力を得て、上記磁気発生コイル６Ａに対して、所要の作動パターン（時間間隔等）で動作させるように自動制御を行うように構成してあり、その回路等は設計上の問題であるので、ここでは詳述を省く。【００２５】  また、上記リンク機構６ｅ、６ｆにつては、前記永久磁石６ａ，６ｂに一体化させたロッド１１，１１に枢軸１２，１２を設け、そのロッド１１，１１の押し引き動作によって、上記可動表示体４ａ，４ｂを所定の角度で範囲で回動させるように構成している。
尚、上記バネ６ｃ，６ｄは、上記磁気発生コイル６Ａへの通電が断たれたときに原位置へ復帰させるためのものであり、比較的柔らかいコイルスプリングが用いられている。図３において、１３は、前記バネ６ｃ，６ｄの位置規制体である。【００２６】  更に、前記表示手段６の本体ケース８の裏面には、これを前記展示部２の内部壁面において着脱自在に固定するための固定手段７としての永久磁石を、ここでは４個設けてある。
このような構成によって、上記展示部２の照明灯３或いは外部の太陽光線により上記ソーラーバッテリー５に電力を得て、前記表示手段６により、前記展示部２に展示された特定商品Ａに対して、前記可動表示体４による指示表示が行われるのである。
【実施例２】
【００２７】  図５は、実施例２を示し、実施例１と基本的に同じ電力供給手段を設けているが、この点の説明については、重複説明を避けるために省略する。
ここでは、前記表示手段６が、所定の間隔を隔て水平方向に対向配置された二つの磁気発生コイル６Ａ、６Ｂと、該磁気発生コイル６Ａ、６Ｂの対向間に配置され、該磁気発生コイル６Ａ、６Ｂによる磁気発生と同極（又は異極）を発生するように配置された一対の永久磁石６ａ，６ｂを備えた可動体６ｇから構成され、該可動体６ｇによって前記可動表示体４ａを可動させるように構成している。【００２８】  従って、この実施態様では、上述のリンク機構６ｅ、６ｆを介在させずに、上記可動体６ｇに直接に可動表示体４ａが設けられ、二つの磁気発生コイル６Ａ、６Ｂに対して、交互に通電させることで、斥力を発生させて前記可動体６ｇを直線運動させ、これに一体の可動表示体４ａを水平方向に運動させるようにしている。【００２９】  また、ここでは、前記可動体６ｇと可動表示体４ａとを、弾性の弱いスプリング１４によっての連結している。これによって、前記可動体６ｇが直線的に水平移動しようとしたときに、慣性の法則で可動表示体４ａを水平移動と揺動運動をさせることが出来て、可動表示体４ａに複雑な動きを付与できるように構成している。【００３０】  更に、ここでは、前記表示手段６の可動表示体４ａに、ＬＥＤ表示手段９と、該ＬＥＤ表示手段９を点灯させるソーラーバッテリー５′を設けてある。
図５及び図６に示すように、可動表示体４ａの外周に沿って多数のＬＥＤが配置され、制御基盤１５の所定のプログラムによって、所定のパターンで点灯できるように構成されている。【００３１】  このように、多数のＬＥＤが配置され、制御基盤１５が設けられることで可動表示体４ａの重量が増すが、上述の如く、二つの磁気発生コイル６Ａ、６Ｂによって十分な作動エネルギーを発生させることができる。
【実施例３】
【００３２】  図７は、実施例３を示し、実施例１と基本的に同じ電力供給手段を設けているが、この点の説明については、重複説明を避けるために図示、説明を省略する。
この実施例３では、前記表示手段６が、垂直方向に配置された一つの磁気発生コイル６Ａと、該磁気発生コイル６Ａに対向配置され、該磁気発生コイル６Ａによる磁気発生と同極を発生するように配置された永久磁石６ａを備えた可動体６ｇから構成され、該可動体６ｇによって前記可動表示体４ａ、ここでは、手の型をした意匠体を、上下に可動させるように構成してある。【００３３】  図７において、１６は、前記可動表示体４ａの上下動をガイドするガイド体である。また、１７は、永久磁石６ａに対する可動表示体４ａの位置を調節するボルトであり、羅合によって、可動位置の調節を行う。
このように構成した、表示手段６は、図１の最頂部に設けられ、商品サンプルＢを指し示すように設置され、可動表示体４ａが上下動することで、指型意匠が特定商品を示すことによって、注意を喚起することができるのである。
【実施例４】
【００３４】  図８は、実施例４を示し、実施例１と基本的に同じ電力供給手段を設けているが、この点の説明については、重複説明を避けるために詳細説明を省略する。
この実施例では、上述した表示手段６が、水平方向に配置された一つの磁気発生コイル６Ａと、該磁気発生コイル６Ａに対向配置され、該磁気発生コイル６Ａによる磁気発生と同極を発生するように配置された永久磁石６ａを備えた可動体６ｇと，該可動体６ｇの直線移動に回転運動を付与するカム機構６ｈとから構成され、該可動体６ｇ（ロッド）によって前記可動表示体４ａ（円筒状体の表面に意匠図柄：ここでは矢印を有する）を回転させながら直線移動させるように構成してある。【００３５】  上記カム機構６ｈは、半円筒体６ｉにカム溝６ｊを刻設し、これにピン６ｋを嵌合させて、該ピン６ｋを前記可動体６ｇに立設して構成し、以って、前記可動体６ｇが斥力によって、図８において、右方向に移動しようとしたときに、前記ピン６ｋがカム溝６ｊにガイドされて回動（所定の回転角度分）することができて、その意匠図柄（矢印）が特定商品を指し示すようにされている。尚、図８において、バネ６ｃは、実施例１と同様に、前記可動体６ｇを原位置に復帰させるものである。
【産業上の利用分野】
【００３６】  本発明の活用例としては、清涼飲料水、酒類、タバコ等の自動販売機は勿論のこと、その他、自動販売機によって販売可能で、その自動販売機の前面に、商品サンプルを展示する構造を採用しているものであれば、種々の商品に対して適用可能であり、その適用範囲は、極めて多種に及ぶものである。
【図面の簡単な説明】
【００３７】
【図１】実施例１を示す自動販売機の一部正面図。
【図２】実施例１を示す自動販売機の要部の縦断側面図。
【図３】実施例１を示す表示手段の斜視図。
【図４】実施例１を示す表示手段の背面の斜視図。
【図５】実施例２を示す表示手段の斜視図。
【図６】実施例２を示す表示手段の背面の斜視図。
【図７】実施例３を示す表示手段の縦断正面図。
【図８】実施例４を示す表示手段の斜視図。
【符号の説明】
【００３８】１：パネル
２：展示部
３：照明灯
４：可動表示体
４ａ：一可動表示体
４ｂ：一可動表示体
５：ソーラーバッテリー
５′：ソーラーバッテリー
６：表示手段
６Ａ：磁気発生コイル
６Ｂ：磁気発生コイル
６ａ：永久磁石
６ｂ：永久磁石
６ｃ：バネ
６ｄ：バネ
６ｅ：リンク機構
６ｆ：リンク機構
６ｇ：可動体
６ｈ：カム機構
７：固定手段
８：本体ケース
９：ＬＥＤ表示手段
Ａ：商品サンプル
Ｂ：商品サンプル
【図１】
2006189987.tif 000003
【図２】
2006189987.tif 000004
【図３】
2006189987.tif 000005
【図４】
2006189987.tif 000006
【図５】
2006189987.tif 000007
【図６】
2006189987.tif 000008
【図７】
2006189987.tif 000009
【図８】
2006189987.tif 000010